(57)【要約】【課題】操作性を向上させることができる車載装置を提供する。【解決手段】表示パネルを備えた車載装置において、表示パネルの表示面上に装置本体を操作する回転式操作子またはスライド式操作子を配設した。【選択図】図１
2012035782.tif 000002
【特許請求の範囲】
【請求項１】
表示パネルを備えた車載装置において、
表示パネルの表示面上に装置本体を操作する回転式操作子またはスライド式操作子を配設したことを特徴とする車載装置。
【請求項２】
前記表示パネルにタッチパネルを設け、前記回転式操作子またはスライド式操作子には前記タッチパネルに当接し回転操作またはスライド操作に伴って当該タッチパネル上を移動する端子を設け、当該端子の前記タッチパネル上の移動を検知して前記装置本体を操作することを特徴とする請求項１に記載の車載装置。
【請求項３】
前記回転式操作子またはスライド式操作子の表示面上での位置を変更可能にしたことを特徴とする請求項２に記載の車載装置。
【請求項４】
変更後の前記回転式操作子またはスライド式操作子の取り付け位置に基づいて、前記表示パネル上での前記端子の移動範囲を特定し、当該移動範囲内での前記端子の移動を検知して前記装置本体を操作することを特徴とする請求項３に記載の車載装置。
【請求項５】
前記回転式操作子またはスライド式操作子を支持し、装置本体に位置変更可能に設けられた支持部材と、前記支持部材を装置本体に位置変更不能に固定する固定手段を備えたことを特徴とする請求項３または４に記載の車載装置。
【発明の詳細な説明】
【技術分野】
【０００１】
本発明は、表示パネル及び操作子を備えた車載装置に関する。
【背景技術】
【０００２】
従来、カーオーディオ装置やカーナビゲーション装置などの車載装置では、液晶パネル等の表示パネルを装置正面に備え、この表示パネルの周囲に操作スイッチが配置されているものがある（例えば、特許文献１）。
この種の車載装置の正面寸法は、車両における車載装置収納部の寸法によりさまざまであるが、正面の寸法が小さく、かつ大型の表示パネルを備えるものの中には、操作スイッチを配置するスペースが狭いため、操作スイッチをタッチパネルのタッチボタンで代替するものがある。
【先行技術文献】
【特許文献】
【０００３】
【特許文献１】特開２００６−２７０７４１号公報
【発明の概要】
【発明が解決しようとする課題】
【０００４】
ところで、車載装置においては、音量調節などの特定の調節操作については瞬時に手探りで実行できることが望ましい。しかし、調節操作をタッチパネルのタッチボタンで行う場合、操作性が悪いという問題がある。また、タッチパネルのタッチボタンを操作する際にタッチボタンの位置確認のために表示パネルを目視する必要があり、手探りでの操作は困難であるため、車載装置としての使い勝手が低下する、という問題がある。
【０００５】
本発明は、上述した事情に鑑みてなされたものであり、操作性を向上させることができる車載装置を提供することを目的とする。
【課題を解決するための手段】
【０００６】
上記目的を達成するために、本発明は、表示パネルを備えた車載装置において、表示パネルの表示面上に装置本体を操作する回転式操作子またはスライド式操作子を配設したことを特徴とする。
また、本発明は、上記車載装置において、前記表示パネルにタッチパネルを設け、前記回転式操作子またはスライド式操作子には前記タッチパネルに当接し回転操作またはスライド操作に伴って当該タッチパネル上を移動する端子を設け、当該端子の前記タッチパネル上の移動を検知して前記装置本体を操作することを特徴とする。
また、本発明は、上記車載装置において、前記回転式操作子またはスライド式操作子の表示面上での位置を変更可能にしたことを特徴とする。
また、本発明は、上記車載装置において、変更後の前記回転式操作子またはスライド式操作子の取り付け位置に基づいて、前記表示パネル上での前記端子の移動範囲を特定し、当該移動範囲内での前記端子の移動を検知して前記装置本体を操作することを特徴とする。
また、本発明は、上記車載装置において、前記回転式操作子またはスライド式操作子を支持し、装置本体に移動可能に設けられた支持部材と、前記支持部材を装置本体に移動不能に固定する固定手段を備えたことを特徴とする。
【発明の効果】
【０００７】
本発明によれば、操作性の特に良好な回転式操作子またはスライド式操作子が、表示パネルの表示面上に設けられているので、手探りでも容易に操作することができ、操作性が向上する。
【図面の簡単な説明】
【０００８】
【図１】本発明の第１実施形態に係る車載装置の外観構成を示す斜視図である。
【図２】回転式操作子周辺の構成を拡大して示す正面図である。
【図３】図２のＩＩＩ−ＩＩＩ断面図である。
【図４】本実施形態に係る車載装置の機能構成を示すブロック図である。
【図５】回転式操作子の位置を変更して操作する手順を示す図である。
【図６】本発明の第２実施形態に係る車載装置の外観構成を示す斜視図である。
【図７】本発明の第２実施形態に係る車載装置の回転式操作子周辺の構成を拡大して示す正面図である。
【発明を実施するための形態】
【０００９】
以下、図面を参照して本発明の実施形態について説明する。
＜第１実施形態＞
図１は、本実施形態に係る車載装置１の外観構成を示す斜視図である。
車載装置１は、ＣＤやＤＶＤを読み取り再生するオーディオ装置として構成されており、略直方体状の装置本体２を有し、車両のインストルメントパネル３等に設けられた収納スペースに嵌め込まれている。装置本体２の正面には略矩形の本体枠４が設けられており、本体枠４には略矩形の表示パネル５が嵌め込まれている。
表示パネル５は、タッチ操作可能な表示装置であり、液晶ディスプレイと、この液晶ディスプレイの表面全体を覆うように設けられたタッチパネル６とを備えている。表示パネル５には、タッチ操作により装置本体２を操作するためのソフトキーたる複数のタッチボタン７が表示される。さらにこのタッチパネル６には、後述する回転式操作子２３が配設されている。
【００１０】
本体枠４の下部には、電源のオン／オフやメニュー選択などの頻度の高い操作を行うためのハードキーたる複数の押下式スイッチ１１が設けられている。
また、本体枠４の左右両側および上部にはＴ溝１３が形成されており、このＴ溝１３には図２に示すようにＴ溝ナット１５がスライド自在に嵌め込まれている。Ｔ溝ナット１５には、ボルト１７がねじ込まれており、このボルト１７が、支持部材１９の長手方向の軸に沿って設けられた長孔２１を貫通してＴ溝ナット１５に締めこまれることにより、支持部材１９が本体枠４に固定される。すなわち、ボルト１７を締め付けると支持部材１９が本体枠４に対して位置変更不可能に固定され、ボルト１７を緩めると支持部材１９の位置変更や取り外しが可能になる。
【００１１】
図２はボルト１７を締め付けた場合の支持部材１９先端周辺の構成を示す正面図、図３は図２のＩＩＩ−ＩＩＩ断面図である。図２および図３に示すように、支持部材１９の先端には回転式操作子２３が支持されている。この回転式操作子２３は、支持部材１９の端部に固定された軸部材２５を備える。軸部材２５は、タッチパネル６と略垂直な軸線２７を有する部材であり、軸部材２５の底面は、円形状である。軸部材２５には、穴３２を有する操作部材３３が、軸線２７周りに回転可能に嵌合している。また、軸部材２５の底面と支持部材１９の底面との段差は、本体枠４とタッチパネル６との段差と同寸法である。
操作部材３３の底面には、２本の端子３９が取り付けられている。端子３９の先端は、軸部材２５の底面と同一平面上に存在する。なお、軸部材２５および操作部材３３には、それぞれ図示しないリング状の突起およびリング状の溝が形成されており、これらが互いに嵌合することにより操作部材３３の軸線２７方向への移動が規制されている。なお、軸部材２５の底面に配置する端子３９の数は２個に限定されるものではなく、それ以上又は以下でもよい。
【００１２】
本実施形態では、軸部材２５の底面と支持部材１９の底面との段差が、本体枠４とタッチパネル６との段差と同寸法であり、端子３９の先端が軸部材２５の底面と同一平面上に存在する。したがって、ボルト１７を締め付けて支持部材１９を本体枠４に固定すれば、タッチパネル６に、軸部材２５の底面および端子３９の先端が当接し、大径の円が２つの小径の円に挟まれて一直線上に並んだ形状を有する回転式操作子当接エリア４１を形成する。
支持部材１９の位置が固定された場合には、軸部材２５はタッチパネル６上で一定位置を保ち、位置ずれすることはない。一方、端子３９は、軸部材２５に回転可能に支持される操作部材３３に取り付けられているため、操作部材３３の回転操作に伴ってタッチパネル６上で移動し、その軌跡は、操作部材３３と同心円弧状の端子移動エリア４３を形成する。
【００１３】
端子移動エリア４３には、装置本体２の操作、例えば音量調節のための操作が割り当てられている。回転式操作子２３の回転操作に伴って、端子３９が移動すると、この移動量が操作量としてタッチパネル６で検出され、操作量に応じた音量調節処理が実行される。
端子移動エリア４３の周囲には、端子移動エリア４３と同心状に所定幅のタッチ操作無効エリア４５が形成される。このタッチ操作無効エリア４５内に対するタッチ操作は無効とされ、回転式操作子２３の操作時に、この回転式操作子２３に近接配置されているタッチボタン７の誤操作を防止している。
また、回転式操作子２３の周囲において、端子移動エリア４３に沿う所定幅の円弧状領域には、装置本体２の操作量、例えば音量調節における音量変化量を表す目盛４７が表示される。
【００１４】
図４は、車載装置１の機能的構成を示すブロック図である。なお、図４には、主として装置本体２の操作に関する機能的構成ブロックを示している。
図４に示すように、車載装置１は、操作部４９と、制御部５１と、記憶部５３と、表示処理部５５と、音声処理部５７と、スピーカー５９とを備える。
操作部４９は、タッチパネル６に取り付けられた回転式操作子２３と、タッチパネル６に表示したソフトキーたるタッチボタン７と、本体枠４の下部に配設されたハードキーたる押下式スイッチ１１と、を備え、回転式操作子２３、タッチボタン７及び押下式スイッチ１１の操作を検出し、制御部５１に出力するものである。
表示処理部５５は、制御部５１の制御の下、タッチパネル６に各種情報を表示させるものである。また、音声処理部５７は、制御部５１の制御に従い、スピーカー５９から音声を出力させるものである。
【００１５】
記憶部５３は、回転式操作子当接エリア４１、端子移動エリア４３、タッチ操作無効エリア４５、目盛４７の形状情報と、それぞれの相対位置関係の情報とを記憶するものである。この相対位置関係において、回転式操作子当接エリア４１の小径の円すなわち端子３９の当接部は端子移動エリア４３の中央に位置する。
また、記憶部５３は、回転式操作子２３の操作対象を記憶し、端子移動エリア４３内での端子３９の移動量および移動方向と、回転式操作子２３の操作対象の増減量との関係を記憶するものである。記憶部５３は、例えば、端子３９を端子移動エリア４３の左端から右端まで移動させたときの移動量および移動方向に対応する処理が、音量を０から最大音量まで増加させる処理であることを記憶する。
また、記憶部５３は、回転式操作子２３の取り付け位置が変更された直後、すなわち回転式操作子２３が回転操作されておらず、端子３９の当接部が端子移動エリア４３の中央に位置する場合に、出力される所定の音量を記憶する。この所定の音量は、例えば最大音量の半分の音量である。
【００１６】
制御部５１は、車載装置１の各部を中枢的に制御するものであり、図示しないＣＰＵ、ＲＡＭ、ＲＯＭ等を含んで構成されている。
また、制御部５１は、タッチパネル６から、端子移動エリア４３内での端子３９の移動に伴う信号が入力されたときに、端子３９の移動量に応じた操作量だけ操作対象を変化させる処理を行うものである。
また、制御部５１は、タッチパネル６からの回転式操作子２３の位置検出信号を受けて、端子移動エリア４３、タッチ操作無効エリア４５および目盛４７の位置を特定し、タッチ操作無効エリア４５におけるタッチ操作を無効にする処理を行うとともに、表示パネル５に目盛４７を表示させる処理を行うものである。
【００１７】
図１および図５を参照し、回転式操作子２３の位置を変更した後に、回転式操作子２３により装置本体２を操作する手順を説明する。
まず、図１で実線示する位置において、ボルト１７を緩めて支持部材１９を本体枠４から離間させると、図５（Ａ）に示すように軸部材２５および端子３９がタッチパネル６から離間する。このとき、支持部材１９がボルト１７の周りに回動可能かつ長孔２１の長手方向にスライド可能となるうえ、Ｔ溝ナット１５およびボルト１７がＴ溝１３に沿ってスライド可能となる。すなわち、タッチパネル６上における回転式操作子２３の取り付け位置を自由に変更可能となる。
ついで、支持部材１９を図１で破線示する位置に移動させた後、ボルト１７を締めこむと、図５（Ｂ）に示すように、支持部材１９が本体枠４に固定されて回転式操作子２３が位置決めされるとともに、軸部材２５の底面および端子３９の先端がタッチパネル６に当接して回転式操作子当接エリア４１が形成される。
【００１８】
ところで、本実施形態では、制御部５１は、所定の時間間隔で、回転式操作子２３の位置が変更されたか否かを判定する処理を行っており、回転式操作子２３の位置が変更されたときに、自動的に回転式操作子２３の取り付け位置を特定する処理を行う。この判定処理において、制御部５１は、まず、タッチパネル６の検出結果と、記憶部５３に記憶されている回転式操作子当接エリア４１の形状情報とを比較することにより、回転式操作子当接エリア４１の位置を特定する。そして、前回の、回転式操作子当接エリア４１の位置特定結果と比較することにより、回転式操作子２３の位置が変更されたか否かを判定する。
したがって、図１で実線示する位置から図１で破線示する位置に回転式操作子２３の取り付け位置が変更されたときには、制御部５１は、回転式操作子２３の位置が変更されたと判定し、以下の処理を実行する。
【００１９】
まず、制御部５１は、回転式操作子当接エリア４１の位置と、記憶部５３に記憶されている回転式操作子当接エリア４１と端子移動エリア４３との相対位置関係の情報とを比較することにより、端子移動エリア４３の位置を特定する。
次に、制御部５１は、端子移動エリア４３に沿う所定幅の領域をタッチ操作無効エリア４５として、タッチ操作無効エリア４５のタッチ操作を無効とする処理を行う。
また、制御部５１は、回転式操作子当接エリア４１の位置と、記憶部５３に記憶されている回転式操作子当接エリア４１と目盛４７との相対位置関係の情報とを比較し、目盛４７の位置を特定した後、表示処理部５５を制御して、目盛４７を表示させる。
さらに、制御部５１は、記憶部５３に記憶されている所定の音量、例えば最大音量の半分の音量を出力させる。
【００２０】
そして、図１で破線示する変更後の位置で回転式操作子２３が回転操作されると、回転操作に伴って端子３９がタッチパネル６上を移動する。
このとき制御部５１は、タッチパネル６からの信号に基づいて、端子移動エリア４３内での端子３９の移動量および移動方向を特定する。ついで制御部５１は、記憶部５３に記憶されている、端子移動エリア４３内での端子３９の移動量および移動方向と、回転式操作子２３の操作対象の増減量との関係の情報を参照して、回転式操作子２３の操作対象すなわち音量を端子３９の移動量および移動方向に応じて変化させる処理を行う。
【００２１】
なお、回転式操作子２３の位置変更後にタッチパネル６上のタッチボタン７の再配置処理を行ってもよい。例えば、位置変更後の回転式操作子２３の取り付け位置に表示されていたタッチボタン７を、位置変更前の回転式操作子２３の取り付け位置に表示する。これにより、回転式操作子２３の位置変更後においても、位置変更前に表示されていた全てのタッチボタン７を操作可能とできるので、操作性を確保することができる。
【００２２】
本実施形態によれば、操作性の特に良好な回転式操作子２３を、表示パネル５の表示面上に設ける構成としたので、手探りでも容易に操作することができ、操作性が向上する。
また、本実施形態によれば、表示パネル５にタッチパネル６を設け、回転式操作子２３にはタッチパネル６に当接し回転操作に伴ってタッチパネル６上を移動する端子３９を設け、端子３９のタッチパネル６上の移動を検知して装置本体２を操作する構成としたので、回転式操作子２３と装置本体２とを接続する電線などが無くても、回転式操作子２３の回転操作により、装置本体２を操作することができ、デザインの自由度が向上し意匠性が向上する。
【００２３】
また、本実施形態によれば、回転式操作子２３の取り付け位置が変更された場合に、変更後の取り付け位置に基づいて、表示パネル５上での端子３９の移動範囲である端子移動エリア４３を特定し、端子移動エリア４３内での端子３９の移動を検知して装置本体２を操作する構成としたので、回転式操作子２３の位置をユーザーが操作し易い位置に変更することができ、使い勝手を向上させることができる。
【００２４】
また、本実施形態によれば、回転式操作子２３を支持し、装置本体２の正面に設けられた本体枠４に位置変更可能に設けられた支持部材１９と、支持部材１９を本体枠４に位置変更不能に固定するボルト１７およびＴ溝ナット１５を備える構成としたので、操作中に回転式操作子２３の位置ずれを生じることが無く、タッチボタン７が回転式操作子２３に近接して配置されていても、回転式操作子２３の回転操作によりタッチボタン７が誤操作されるおそれが無い。このため、回転式操作子２３に近接してタッチボタン７を配置することができ、タッチボタン７の配置自由度を向上させることができる。さらに、ボルト１７を緩めることにより支持部材１９を位置変更可能とすることができるので、いったん回転式操作子２３を位置決めした後であっても、簡単に回転式操作子２３の位置を変更して再び位置決めすることができる。
【００２５】
また、本実施形態によれば、変更後の回転式操作子２３の取り付け位置に基づいて、表示パネル５上での端子３９の移動範囲である端子移動エリア４３を特定し、回転式操作子２３の周囲の、端子移動エリア４３に沿う所定幅の円弧状領域に、装置本体２の操作量を表す目盛４７が表示される構成としたので、回転式操作子２３の取り付け位置をタッチパネル６上で変更した場合でも、装置本体２の操作量を表す目盛４７の表示位置が、回転式操作子２３の取り付け位置の変更に追従して変更され、目盛４７と回転式操作子２３の表示位置ズレを防止し、操作量を容易かつ迅速に把握することができ目盛４７を回転式操作子２３の周囲に常に表示させることができる。
【００２６】
＜第２実施形態＞
次いで、本発明の第２実施形態として、回転式操作子２３を支持する支持部材１９が装置本体２の外側に突出しないように構成した車載装置について説明する。
図６、図７は、本実施形態に係る車載装置１００の構成を示す図である。なお、図６、図７において、第１実施形態で説明した部分には同一符号を付し、その説明を省略する。
【００２７】
図６、図７に示すように、本実施形態では、回転式操作子２３を先端に支持した支持部材１１９の構成が第１実施形態の支持部材１９の構成と大きく相違している。すなわち、第１実施形態では、支持部材１９の長手方向の軸上に長孔２１を設けて支持部材１９の長手方向への移動を案内する構成とした。これに対して、本実施形態では、本体枠４のＴ溝１３に沿って移動するボルト１７に、支持部材１１９の基端１１９Ａを軸支し、このボルト１７を中心にして支持部材１１９を回動自在に構成している。
また支持部材１１９は、その基端１１９Ａの端部が本体枠４の外側に突出しない位置に位置決めされた状態で当該基端１１９Ａがボルト１７に軸支されている。これにより、支持部材１１９を回動させ、或いはＴ溝１３に沿ってスライドさせて、回転式操作子２３の取り付け位置を表示パネル５の任意の位置に変更したとしても、支持部材１１９の基端１１９Ａが装置本体２の外側に突出することがなく意匠性が向上する。また、支持部材１１９の基端１１９Ａが装置本体２の外側に突出することがないから、当該基端１１９Ａが装置本体２の周辺に位置する車両部品に干渉する虞も無い。
【００２８】
上述した第１及び第２実施形態は、あくまでも本発明の一態様を示すものであり、本発明の趣旨を逸脱しない範囲で任意に変形及び応用が可能である。
上述した各実施形態では、一つの回転式操作子２３をタッチパネル６に取り付ける例について説明したが、タッチパネル６に取り付ける操作子の数はこれに限定されず、二つ以上であっても良い。また、タッチパネル６に取り付ける操作子の種類は回転式操作子２３に限定されず、回転式操作子２３に代えてスライド式操作子を備える構成としてもよい。また、回転式操作子２３の操作対象が音量である構成を例示したが、操作対象は、音量に限定されず、ラジオの選局や、エアコンの設定温度などであってもよい。
【００２９】
また、上述した各実施形態では、所定の時間間隔で回転式操作子２３の位置が変更されたか否かを判定する処理を行い、回転式操作子２３の位置が変更されたときに、自動的に回転式操作子２３の取り付け位置を特定する処理を行う構成を例示したが、これに限らない。すなわち、回転式操作子２３の取り付け位置を特定する処理を実行させるためのタッチボタンを表示パネル５に設け、或いは押下式スイッチを本体枠４に設け、ユーザーが回転式操作子２３の取り付け位置を変更した後に、タッチボタン、或いは押下式スイッチを操作したときにだけ回転式操作子２３の取り付け位置を特定する処理を行う構成としても良い。
【００３０】
また、車載装置１、１００の一例としてオーディオ装置を例示したが、これに限らず、車両に搭載される装置であれば、ナビゲーション装置やハンズフリー通話装置等の任意の装置に本発明を適用することができる。なお、本発明において、車両には自動車や列車は勿論のこと飛行機や船舶等も含まれ、これらに搭載される装置に本発明を適用して実施することができる。
【符号の説明】
【００３１】
１、１００  車載装置
２  装置本体
４  本体枠
５  表示パネル
６  タッチパネル
７  タッチボタン
１５  Ｔ溝ナット（固定手段）
１７  ボルト（固定手段）
１９、１１９  支持部材
１１９Ａ  基端
２３  回転式操作子
２５  軸部材
３３  操作部材
３９  端子
４１  回転式操作子当接エリア（取り付け位置）
４３  端子移動エリア（端子の移動範囲）
４９  操作部
５１  制御部
５３  記憶部
５５  表示処理部
５７  音声処理部
【図１】
2012035782.tif 000003
【図２】
2012035782.tif 000004
【図３】
2012035782.tif 000005
【図４】
2012035782.tif 000006
【図５】
2012035782.tif 000007
【図６】
2012035782.tif 000008
【図７】
2012035782.tif 000009